(57)【要約】【課題】長期における優れた撥水性と防水性を発揮すると共に、張布が暗闇で自然発光することで、夜間使用における安全性を高めることができる傘の張布用保護膜を提供すること。【解決手段】傘（１０）の張布（１１）に施される保護膜であって、かかる保護膜（１）は、張布（１１）の基材（１２）の表面に、単一あるいは多成分系の金属酸化物ガラス膜からなるガラス膜層（２）を設けることにより形成される。【選択図】    図１
2004321734.tif 000002
【特許請求の範囲】
【請求項１】
傘の張布に施される保護膜であって、かかる保護膜は、張布の基材の表面に、単一あるいは多成分系の金属酸化物ガラス膜により形成されるガラス膜層を設けたことを特徴とする傘の張布用保護膜。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成される請求項１記載の傘の張布用保護膜。
【請求項３】
前記基材とガラス膜層との間に、周囲の光を蓄え自然発光可能な蓄光剤による発光膜層を介在させた請求項１記載の傘の張布用保護膜。
【発明の詳細な説明】
【０００１】
【発明の属する技術分野】
本発明は、傘の張布に施される保護膜であって、特に、優れた撥水性と防水性を発揮すると共に、夜間使用における安全性を向上できる傘の張布用保護膜に関する。
【０００２】
【従来の技術】
従来より、傘の張布には、綿等の天然繊維やナイロン、ポリエステル等の化学繊維等が充てられ、表面には耐水性を得るため撥水加工や防水加工が施されている。また特に、耐水性に優れ、折り畳み性に優れた傘用基布並びに傘地が提案されている（例えば、特許文献１参照）。
【０００３】
【特許文献１】
特開平１１−３１５４４３号公報  （第２−３頁）
【０００４】
【発明が解決しようとする課題】
しかし、上記特許文献１に記載されている傘用基布並びに傘地は、ポリトリメチレンテレフタレートのマルチフィラメント原糸で構成されており、かかる原糸で構成された織物に撥水加工を施して形成されている。そのため、製造工程が多くコスト高になるという問題があった。また、夜間使用における安全性を高めるまでには至らなかった。
【０００５】
そこで本発明は上記の点に鑑み、長期における優れた撥水性と防水性を発揮すると共に、張布が暗闇で自然発光することで、夜間使用における安全性を高めることができる傘の張布用保護膜を提供することにある。
【０００６】
【課題を解決するための手段】
上記課題を解決するために、本発明の傘の張布用保護膜は、傘の張布に施される保護膜であって、かかる保護膜は、張布の基材の表面に、単一あるいは多成分系の金属酸化物ガラス膜により形成されるガラス膜層を設けたことを特徴とする。また、金属酸化物ガラス膜により形成されるガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成される。そのため、張布の表面に施されたガラス膜層により、優れた撥水性および防水効果が得られる。
【０００７】
また、前記基材とガラス膜層との間に、周囲の光を蓄え自然発光可能な蓄光剤による発光膜層を介在させたことにより、傘の張布が暗闇で長時間高輝度に自然発光するため、夜間使用時における安全性を高めることができる。
【０００８】
【発明の実施の形態】
次に、本発明の傘の張布用保護膜の実施の形態を図面に基づいて説明する。なお、図１は張布に保護膜を設けた傘の断面図、図２は前記張布の拡大断面図、図３は他の好適例を示す張布の拡大断面図、図４は張布が暗闇で自然発光する状態をそれぞれ表す。
【０００９】
本発明の傘の張布用保護膜は、図１に示す傘１０の張布１１の表面に施されるもので、かかる保護膜１は、単一あるいは多成分系の金属酸化物ガラス膜により形成されるガラス膜層２からなる。また、前記ガラス膜層２は、特に優れた撥水性および防水効果を発揮する。そのため、例えば、電車や自動車に乗る前、傘を軽く振ることで、張布１１の表面に付着した水滴を容易に取り除くことができ、床や洋服を雨水で濡らすことがない。なお、前記ガラス膜層２は、張布１１の表面のみならず、裏面や表裏面に施してもよいことは言うまでもない。
【００１０】
また、ガラス膜層２は、前記張布１１の基材１２の表面をコーティングするように設けられる、単一あるいは多成分系の金属酸化物ガラス膜からなっている。そして、この金属酸化物ガラスからなるガラス膜層２の表面は、通常のガラス表面と同様に極めて滑らかである上に、鏡の表面のように光を反射するきらきらと輝く充分な光沢を有している。
【００１１】
また、このガラス膜層２は光透過性にも優れており、ガラス膜層２内を通過する光が有する光力をなんら減光することがない。また、ガラス膜層２は耐候性も極めて優れており、長期間経過してもガラス自体が変色あるいは白濁せず、さらに塵埃や煤煙等が内部へと浸透することがなく、張布１１が外観的に劣化するという問題を解消できる。
【００１２】
また、前記ガラス膜層２を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、張布１１の表面に光触媒効作用を施すことにより、汚れの付着を軽減すると共に、周囲の空気を清浄化させることができる。
【００１３】
前記ガラス膜層２を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記基材１２の表面に所定厚み分塗布し、ガラス化させることによりガラス膜を形成する。なお、この金属酸化物ガラスの形成方法は、特開平６−１９９５２８号公報（特許第２５３８５２７号）に記載された公知の技術である。
【００１４】
なお、前記ガラス膜層２は、適宜希釈して汎用のスプレーにて噴霧することにより、基材１２の表面に容易に施すことができる。
【００１５】
また、他の好適例として、図３に示すように、前記基材１２とガラス膜層２との間に、周囲の光を蓄え自然発光可能な蓄光剤による発光膜層３を介在させた。
【００１６】
発光膜層３は、光を蓄え自然発光が可能な蓄光剤からなっていて、この蓄光剤は、周知の金属化合物や希土類を複数混合し汎用の展色剤を混合して形成するものである。この発光膜層３の層幅は、日没後、周囲が暗くなても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００１７】
前記発光膜層３を基材１２の表面または一部に設けることにより、図４に示すように、傘１０の張布１１の周囲が暗闇で高輝度に長時間自然発光するため、夜間使用時において傘１０の存在が明確に認識されて安全性が向上する。また、傘全体から幻想的な雰囲気を醸し出すことも可能となる。
【００１８】
【発明の効果】
以上説明してきたように、本発明の傘の張布用保護膜は、上述により以下に示す効果を奏するものである。
【００１９】
傘の張布の基材の表面に、単一あるいは多成分系の金属酸化物ガラス膜により形成されるガラス膜層を設けたことを特徴とする。また、金属酸化物ガラス膜により形成されるガラス膜層を、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成してガラス化してなる膜層により形成される。そのため、張布の表面に優れた撥水性および防水効果を施すことができる。
【００２０】
また、前記基材とガラス膜層との間に、周囲の光を蓄え自然発光可能な蓄光剤による発光膜層を介在させたことにより、傘の張布が暗闇で長時間高輝度に自然発光するため、夜間使用時における安全性を高めることができる。また、暗闇で幻想的な雰囲気を醸し出すことも可能となる。
【図面の簡単な説明】
【図１】張布に保護膜を施した傘の断面図である。
【図２】前記張布の拡大断面図である。
【図３】他の好適例を示す張布の拡大断面図である。
【図４】張布が暗闇で自然発光する状態である。
【符号の説明】
１・・・保護膜
２・・・ガラス膜層
３・・・発光膜層
１０・・傘
１１・・張布
１２・・基材
【図１】
2004321734.tif 000003
【図２】
2004321734.tif 000004
【図３】
2004321734.tif 000005
【図４】
2004321734.tif 000006